(57)【要約】【課題】浴室音響システムを施工する際の施工性を改善する。【解決手段】空調装置本体１４を制御する本体制御用操作パネル３０Ａ側にオーディオ制御用操作パネル３０Ｂを設け、このオーディオ制御用操作パネルにオーディオ回路部を設ける。オーディオ回路部からのオーディオ出力が供給される空調装置本体側にスピーカ装置２６を設ける。オーディオ制御用操作パネル側にオーディオ回路部を集約すると共に、空調装置本体側にスピーカを取り付けることで施工性が大幅に改善される。オーディオ回路部は、他室の壁に取り付けられているので、修理点検作業およびオーディオ回路部の追加作業などが簡単に行える。スピーカは空調装置本体に取り付けられるので、その保守点検作業およびスピーカの追加作業などが簡単になる。したがって全体として施工性が改善される。【選択図】        図１
2008177894.tif 000002
【特許請求の範囲】
【請求項１】
浴室に設置された空調装置本体と、
上記空調装置本体を制御する本体制御用操作パネルと、
上記本体制御用操作パネル側に設けられたオーディオ制御用操作パネルと、
上記オーディオ制御用操作パネルに取り付けられたオーディオ回路部と、
上記オーディオ回路部からのオーディオ出力が供給される、上記空調装置本体側に設けられたスピーカと
からなることを特徴とする浴室音響システム。
【請求項２】
上記本体制御用操作パネルと、上記オーディオ制御用操作パネルとが近接配置されるか、または一体化された
ことを特徴とする請求項１記載の浴室音響システム。
【請求項３】
上記オーディオ回路部は、少なくともオーディオチューナ部、オーディオアンプ部およびオーディオ電源部を含む
ことを特徴とする請求項１記載の浴室音響システム。
【請求項４】
上記オーディオ回路部には、さらに楽曲の蓄積媒体に対する読み取り部を備え、
上記読み取り部からの出力が上記オーディオチューナ部の出力に優先して上記オーディオアンプ部に供給される
ことを特徴とする請求項３記載の浴室音響システム。
【請求項５】
上記楽曲蓄積媒体は、着脱自在なカード状の半導体メモリで構成された
ことを特徴とする請求項４記載の浴室音響システム。
【請求項６】
上記オーディオ回路部には、音声出力が供給される入力端子部を備えた
ことを特徴とする請求項３記載の浴室音響システム。
【請求項７】
上記オーディオ制御用操作パネルには、少なくとも選局ボタンおよび音量調整ボタンが設けられている
ことを特徴とする請求項１記載の浴室音響システム。
【請求項８】
上記選局ボタンは、上記楽曲蓄積媒体に記憶された出力楽曲を選択するボタンと兼用される
ことを特徴とする請求項７記載の浴室音響システム。
【請求項９】
上記スピーカは、上記空調装置本体のフランジ部か、上記空調装置本体の前面を覆うフロントパネルに取り付けられた
ことを特徴とする請求項１記載の浴室音響システム。
【請求項１０】
上記スピーカは、上記浴室以外の他室に取り付けられ、
上記スピーカに接続される信号線には、配線接続切り替え部が設けられ、
上記配線接続切り替え部に接続された信号線を介して上記他室に設置されたスピーカにオーディオ出力が供給されるようになされた
ことを特徴とする請求項１記載の浴室音響システム。
【請求項１１】
上記他室にスピーカを備えると共に、
上記オーディオ制御用操作パネルには、上記浴室内のスピーカと上記他室のスピーカとの切り替えを行う切り替えボタンが設けられた
ことを特徴とする請求項１０記載の浴室音響システム。
【請求項１２】
上記他室にスピーカを備えると共に、
上記浴室または他室の状態を検知する状態検知手段が設けられ、
上記状態検知手段の出力に基づいて上記浴室内のスピーカと上記他室のスピーカに対するオーディオ出力の切り替えが行われる
ことを特徴とする請求項１０記載の浴室音響システム。
【発明の詳細な説明】
【技術分野】
【０００１】
この発明は浴室音響システムに関する。詳しくは、浴室の天井に設置された空調装置本体側にスピーカを配し、その本体制御用操作パネル側にオーディオ制御用操作パネルとオーディオ回路部を設けることで、浴室音響システムを敷設する際の施工性を改善したものである。
【背景技術】
【０００２】
最近の浴室には、冬場には暖気を出して快適な環境で入浴を楽しめるように、浴室には空調装置（浴室暖房換気乾燥機など）が設置される場合が多い。
【０００３】
また、最近ではこのような空調装置に加えて、音楽などを聴きながら、よりリラックスした状態で入浴を楽しめるように音響環境を整えた浴室音響化が行われる場合がある。このように空調装置や音響系を備えた浴室音響システムは既に知られている（例えば、特許文献１〜３）。
【０００４】
特許文献１には、浴室の天井裏にチューナ部とオーディオアンプとさらに防水スピーカを設置し、浴室内に設置されたリモコンでオーディオアンプを制御することで、浴室内のオーディオ音量等を調整する技術が開示されている。
【０００５】
特許文献２には、浴室の天井に設置された浴室暖房乾燥機本体の内部にチューナやアンプなどのオーディオ回路系とスピーカからなるオーディオ装置を取り付け、この浴室暖房乾燥機本体から音楽等を浴室内に出力するようにした技術が開示されている。
【０００６】
また、特許文献３には、空調装置の本体ボックス内にスピーカを配したスピーカシステムが開示されている。
【０００７】
【特許文献１】特開２００６−１７４３１４号公報
【特許文献２】特開２００４−３０１４３８号公報
【特許文献３】特開２００５−１２７６８８号公報
【発明の開示】
【発明が解決しようとする課題】
【０００８】
ところで、特許文献１に開示された浴室用衝合伝達装置は、浴室内から出射されるリモコン信号をどのようにして天井裏に設置されたオーディオアンプに伝達するかをポイントとするものであるから、空調装置やオーディオ装置などを敷設する際の施工性は殆ど考慮されていない。
【０００９】
この種のオーディオ装置を追加したり、オーディオ装置の部品を交換したりするときには何れの場合でも浴室の天井裏での作業となるので、作業性が悪く、簡便な施工が不可能である。
【００１０】
特許文献２に開示された浴室暖房乾燥機は、乾燥機の本体（ボックス）内にオーディオチューナ、オーディオアンプなどのオーディオ回路部の他に、オーディオスピーカなどの音響部の全てが組み込まれている。
【００１１】
乾燥機本体内の狭いスペースにこれらのオーディオ装置全体を取り付けることは、乾燥機（ファンやその駆動モータなど）に接近してオーディオ装置が設置されることになるので、乾燥機の稼働中の振動が直接オーディオ装置に伝達されるおそれがあり、その振動による悪影響が懸念される。加えて、オーディオ装置の一部の点検や修理を行う場合であっても、乾燥機のフロントパネルを取り外して作業を行う必要があり、また新たにこのオーディオ装置を追加する場合であっても天井裏で作業を行わなければならず、何れの場合にも施工性が悪い。
【００１２】
特許文献３に開示されたスピーカシステムは、空調装置の本体ボックス内にスピーカを配しているので、特許文献２と同じく乾燥機の稼働中に発生する振動がスピーカに伝達されるおそれがある他、スピーカを新たに追加するような場合には、バッフル自体を交換しなければならず、さらにはスピーカに対する信号線の配線（ハーネス）なども考慮する必要があり、その施工は面倒になることが予想される。
【００１３】
そこで、この発明はこのような従来の課題を解決したものであって、特に施工性が優れた浴室音響システムを提案するものである。
【課題を解決するための手段】
【００１４】
上述の課題を解決するため、請求項１に記載したこの発明に係る浴室音響システムは、浴室の天井に設置された空調装置本体と、
上記空調装置本体を制御する本体制御用操作パネルと、
上記本体制御用操作パネル側に設けられたオーディオ制御用操作パネルと、
上記オーディオ制御用操作パネルに取り付けられたオーディオ回路部と、
上記オーディオ回路部からのオーディオ出力が供給される、上記空調装置本体側に設けられたスピーカとからなることを特徴とする。
【００１５】
この発明では、空調装置本体を制御する本体制御用操作パネル側にオーディオ制御用操作パネルを設け、このオーディオ制御用操作パネルにオーディオ回路部を設ける。そしてオーディオ回路部からのオーディオ出力が供給される空調装置本体側にスピーカを設ける構成とする。
【００１６】
本体制御用操作パネルは浴室脇の他室側に設ける。浴室に入る前に予め空調装置の運転モードを設定しておくことになる。この本体制御用操作パネル側にオーディオ制御用操作パネルを設け、そしてこのオーディオ制御用操作パネルにオーディオ回路部を集約する。オーディオ回路部とは、少なくともオーディオチューナ部、オーディオアンプ部およびオーディオ電源部を含む。
【００１７】
音声出力が供給されるスピーカは空調装置本体側に取り付ける。具体的には、乾燥機本体のフランジ部か、乾燥機本体の前面をカバーするフロントパネルの内側にスピーカが取り付け固定される。
【００１８】
このようにオーディオ制御用操作パネル側にオーディオ回路部を集約すると共に、空調装置本体側にスピーカを取り付けることで施工性が大幅に改善される。オーディオ回路部は、他室の壁に取り付けられているので、修理点検作業およびオーディオ回路部の追加作業などが簡単に行える。スピーカは天井側と言っても、空調装置本体のフランジ部かフロントパネルに取り付けられるので、その保守点検作業およびスピーカの追加作業などが簡単になる。したがって全体として施工性が改善される。
【発明の効果】
【００１９】
この発明では、オーディオ制御用操作パネル側にオーディオ回路部を集約すると共に、空調装置本体側にスピーカを取り付けるようにしたものである。
【００２０】
これによれば、他室の壁にオーディオ制御用操作パネルが設けられている関係で、オーディオ回路部の修理点検作業やオーディオ回路部の追加作業などが簡単に行える。スピーカを空調装置本体のフランジ部かフロントパネルに取り付けることで、その保守点検作業およびスピーカの追加工事などが簡単になる。したがって浴室音響システム全体の施工性が改善される。
【発明を実施するための最良の形態】
【００２１】
続いて、この発明に係る浴室音響システムの好ましい実施例を図面を参照して詳細に説明する。
【実施例１】
【００２２】
図１は、本発明を適用した浴室音響システムの一例を示す構成図である。この浴室音響システム１０は、浴室１２などの天井１３に取り付けられる空調装置本体１４とオーディオ装置（後述する）から構成される。空調装置本体１４は遠隔制御によりその運転モードが制御される。この例では本体制御用操作パネル３０Ａが浴室１２に隣接し、洗面、脱衣等を行う洗面脱衣所１６の壁１６ａに取り付けられている。
【００２３】
空調装置本体１４内には運転モードを制御するための制御ユニット２０を始めとしてそれぞれの運転モードを実現するためのファンやその駆動モータなどが設けられている。換気はフード２２を介して行われる。空調装置本体１４の開口部側はフロントパネル２４によって覆われているが、この開口部を塞がないように設けられた空調装置本体１４のフランジ部などに、フロントパネル２４にオーディオ装置を構成するスピーカが取り付けられる。
【００２４】
スピーカはスピーカ単体で使用してもよければ、スピーカボックス内に収納した状態で使用してもよい。後者の構成、つまりスピーカボックス内に少なくともスピーカを収納したものを便宜上スピーカ装置と呼称する。
【００２５】
図１はスピーカとしてスピーカ装置２６を使用した場合であって、この例では一対のスピーカ装置２６Ｌ，２６Ｒが浴室１２側を向くように取り付け固定される。
【００２６】
浴室１２には浴室タブ２７が設置されると共に、浴室１２と洗面脱衣所１６とは扉２８によって仕切られている。
【００２７】
洗面脱衣所１６に取り付けられる操作パネル３０は、上述した本体制御用操作パネル３０Ａと、オーディオ装置をコントロールするための操作パネル（オーディオ制御用操作パネル）３０Ｂとで構成される。本体制御用操作パネル３０Ａは空調装置本体１４の運転モードなどを制御するための操作パネルであり、オーディオ制御用操作パネル３０Ｂはオーディオ装置を制御（電源のオンオフ、選局、音量調整など）するための操作パネルである。
【００２８】
本体制御用操作パネル３０Ａとオーディオ制御用操作パネル３０Ｂとは別体構成であっても、一体構成であってもよい。別体構成であるときは、操作性を考慮してこれら操作パネル３０Ａ，３０Ｂは近接配置されることになる。
【００２９】
図２に別体構成の操作パネル例を示す。この操作パネル３０Ａには、制御対象を明確にするため操作パネル識別用の文字、図示の例では「空調」を印した表示部３２を有する。図２の例は、浴室暖房換気乾燥機能を備えた空調装置１４を使用した場合である。したがって運転モード切り換え用のボタンは少なくとも４個備える。
【００３０】
図２の場合には、浴室１２内に干した衣類の乾燥を行う乾燥運転モードを選択するための乾燥ボタン３４ａを始めとして、浴室１２への涼風（送風）の吹き出しを行う涼風運転モード選択ボタン３４ｂ、浴室１２の暖房を行う暖房運転モード選択ボタン３４ｃおよび浴室１２及び洗面脱衣所１６などの他室の換気を行う換気運転モード選択ボタン３４ｄがそれぞれ配置される。それぞれの運転モードが正しく選択されたときは対応する表示灯（ＬＥＤなど）３６ａ〜３６ｄが点灯する。
【００３１】
また、換気風量等の設定値の変更などを行うボタン３８や、設定値を決めるアップ・ダウンボタン４０を備える。設定値はデジタル表示部（ＬＣＤなど）４２によって表示される。さらには、常時換気を行う２４時間換気運転モードを選択するボタン４４や運転モードを停止させるための停止ボタン４６などが設けられている。
【００３２】
これらの選択ボタンを操作すると、その制御信号（リモコン信号）が上述した制御ユニット２０に送られて、対応する運転モードが実行される。
【００３３】
本体制御用操作パネル３０Ａに隣接して、オーディオ制御用操作パネル３０Ｂが配置される。オーディオ制御用操作パネル３０Ｂは制御対象が少ないため、本体制御用操作パネル３０Ａのサイズよりも小さい。オーディオ制御用操作パネル３０Ｂにも制御対象を明確にするため操作パネル識別用の文字、図示の例では「オーディオ」を印した表示部５２を有する。
【００３４】
表示部５２の下側には、オーディオ電源部７８（図７参照）を制御する電源スイッチ（オンオフスイッチ）５４、オーディオチャンネルを選局するための選局ボタン５６、音量を調整するための音量調整ボタン５８がそれぞれ設けられる。選局ボタン５６と音量調整ボタン５８はアップ・ダウンキーが使用される。操作パネル３０Ｂにはさらに楽曲等を蓄積した蓄積媒体６６（図４（ａ）参照）を装着するためのスロット（差し込み口）６０が設けられている。蓄積媒体６６としてはカード状の半導体メモリなどが用いられる。
【００３５】
なお、浴室１２内には、その壁面１２ａに平面型のテレビ受像機などが設置されることも予想されるので（後述する）、その場合にはテレビ音声をステレオで楽しむことも考えられる。その場合には予めオーディオ装置を構成するオーディオ回路部（後述する）にテレビ等の映像機器からの音声出力を受ける外部入力端子を備えておくことも可能である。この外部入力端子にテレビ音声出力が供給されたときには、テレビ音声表示部（ＬＥＤなど）６２によってその表示が行われる。このテレビ音声表示部６２は、テレビ音声の事後確認などのとき有効であるが、表示部６２を省略することもできる。
【００３６】
図１において、音声出力用の信号線は、洗面脱衣所１６の天井裏に設置した配線接続切り替え部（配線接続切り替え具）１４６を介して行われる。配線接続切り替え部１４６は、元の信号線を複数の信号線に分岐できるように構成されると共に、切り替え制御信号Ｓｓによって音声出力の出力経路を選択できるようにしたものである。図１の場合には浴室１２のみスピーカ装置２６が設置されているので、この場合には特に音声出力の出力経路を選択する必要はない。
【００３７】
配線接続切り替え部１４６を置くことで、天井裏でも複数の信号線に簡単に分岐させることができるし、音声出力経路の電気的な切り替えも簡単に行える。したがって、スピーカを他室に増設する場合でもその分岐作業を簡単に行えるので、配線作業の施工性が落ちることはない。
【００３８】
図１の例では、配線接続切り替え部１４６を基点として、オーディオ制御用操作パネル３０Ｂから配線接続切り替え部１４６までを信号線９６Ｒｏ，９６Ｌｏとし、配線接続切り替え部１４６からスピーカ装置２６までを信号線９６Ｒ1，９６Ｌ1として示す。
【００３９】
図２は、本体制御用操作パネル３０Ａとオーディオ制御用操作パネル３０Ｂとを近接配置した例であるが、図３のようにこれらの操作パネル３０Ａと３０Ｂとを一体化して１つの操作パネル３０として構成することもできる。１つの操作パネル３０として構成した場合は、その取り付け、取り外しが簡単になり、施工性が向上する。
【００４０】
操作パネル３０Ａ、３０Ｂを別体に構成した場合でも、一体構成した場合でも、図４に示すようにオーディオ制御用操作パネル３０Ｂの裏面側にはオーディオ回路部７２が設けられる。
【００４１】
オーディオ回路部７２は、スピーカと共にオーディオ装置７０の主要部を成すものであり、少なくともオーディオチューナ部、オーディオアンプ部およびオーディオ電源部を含む概念である。
【００４２】
オーディオ回路部７２の取り付け例を図１および図４に示す。図１のように洗面脱衣所１６の壁面１６ａのうち操作し易い個所に操作パネル３０Ａ，３０Ｂが取り付け固定される。そしてオーディオ制御用操作パネル３０Ｂの裏面側にオーディオ回路部７２が取り付けられている。
【００４３】
そのため図４（ａ）に示すように、壁面１６ａの開口部に取り付け固定された操作パネル本体５１の裏面側にプリント基板７１が固定され、このプリント基板７１にオーディオチューナ部７４，オーディオアンプ部７６およびオーディオ電源部７８がそれぞれ載置固定される。オーディオ電源部７８は上述した電源スイッチ５４によってそのオンオフが制御される。
【００４４】
さらに操作パネル本体５１の下部には図４（ａ）に示すように蓄積媒体（半導体メモリ）６６に対するスロット６０が装備されると共に、蓄積媒体６６の読み取り部８０がプリント基板７１の一部に設けられている。この読み取り部８０はスロット６０に蓄積媒体６６が装着されると、この蓄積媒体６６に対して読み取り処理が実行され、蓄積された情報（楽曲情報など）を自動的に読み取るように制御される。
【００４５】
ＣＤプレーヤー８４等の音響機器を室内側から接続できる外部入力端子８３を図４（ｂ）に示すように操作パネル３０Ｂに備えてもよい。
【００４６】
また、この例ではプリント基板７１の一部であってオーディオアンプ部７６に近接した位置にテレビ音声に対する外部入力端子（コンセント）８２が取り付けられた場合を示す。外部入力端子８２に供給されたテレビ音声出力は、オーディオアンプ部７６で増幅されるように接続されている。
【００４７】
テレビ音声出力用の信号線はそのプラグを、壁面１６ａの内部を通して外部入力端子８２に差し込むだけで、オーディオ用のスピーカ装置２６をテレビ受像機用のスピーカとしても使用することができる。したがって、外部入力端子８２を設けておけば、後述するようにテレビ受像機の新設の際のテレビ音声出力の配線および施工、あるいは既設のテレビ受像機からのテレビ音声出力に対する配線および施工が非常に簡単になる。
【００４８】
オーディオ装置を構成する他方の部材であるスピーカ装置２６は図５のように取り付け固定される。スピーカ装置２６は一対使用した場合である。図５は天井１３の開口部に取り付けられた空調装置本体１４の概念図を示す。
【００４９】
この空調装置本体１４には、空調装置本体１４を天井１３に取り付けるためのフランジ部９０を有する。フランジ部９０の両側であって、空調装置本体１４の開口部を塞がない位置に、取り付け板体９２Ｒ，９２Ｌを介してスピーカボックス９４Ｒ，９４Ｌが取り付け固定される。スピーカボックス９４Ｒ，９４Ｌ内にはそれぞれスピーカＳＰｒ，ＳＰｌが、その振動面が浴室タブ側を向くように取り付けられている。スピーカボックス９４Ｒ，９４Ｌは防水型である。スピーカＳＰｒ，ＳＰｌはコーン型、平面型の何れでも使用できるが、スピーカボックス９４Ｒ，９４Ｌを小型扁平に構成するためには、小型のコーン型スピーカや小型の平面型スピーカが好ましい。
【００５０】
空調装置本体１４の開口部側および一対のスピーカボックス９４Ｒ、９４Ｌをカバーするようにフロントパネル１００が、フランジ部９０に取り付け固定される。
【００５１】
フロントパネル１００の内面であって、スピーカボックス９４Ｒ、９４Ｌに近接した位置には衝立板１０２が設けられ、浴室１２から吸気された湿度の高い空気がスピーカボックス９４Ｒ，９４Ｌ側に回り込まないようにしてある。
【００５２】
このように空調装置本体１４の両側に一対のスピーカＳＰｒ，ＳＰｌを取り付ける場合、図１にも示すように空調装置本体１４の長手方向に対して左右の向きになるような位置に一対のスピーカ装置２６Ｌ，２６Ｒが取り付け固定される。この場合スピーカＳＰｒ，ＳＰｌが離れているため、広がりのあるステレオ音場とすることができ、また後述の図１６のように浴室タブ２７の短手方向に対して左右の向きになるようにスピーカＳＰｒ，ＳＰｌを配置することにより湯船に入っている人に対して、音場がステレオ音場となるようにすることができる。
【００５３】
図５では空調装置本体１４のフランジ部９０に一対のスピーカＳＰｒ，ＳＰｌを取り付けたが、図６に示すようにフロントパネル１００自体にこれらスピーカＳＰｒ，ＳＰｌを取り付け固定することもできる。
【００５４】
この場合には、図６に示すようにフロントパネル１００の内壁であって、空調装置本体１４のフランジ９０と対峙する位置に、板状体からなる矩形状の支持部１０４Ｒ、１０４Ｌを設け、その内部にスピーカボックス９４Ｒ，９４Ｌが装着固定される。こうすれば、空調装置本体１４の開口部を塞ぐことなく一対のスピーカＳＰｒ，ＳＰｌを取り付け固定できる。この場合にもスピーカボックス９４Ｒ，９４Ｌは防水型のボックスが使用される。
【００５５】
図１〜図６に示すように浴室音響システム１０を、オーディオ制御用操作パネル３０Ｂ側にオーディオ回路部７２を集約すると共に、空調装置本体１４側にスピーカ装置２６を取り付けることで浴室音響システム自体の施工性が大幅に改善される。
【００５６】
オーディオ回路部７２は、他室の壁に取り付けられているので、修理点検作業およびオーディオ回路部７２の追加作業などが簡単に行える。スピーカ装置２６は天井１３側と言っても、空調装置本体１４のフランジ部９０かフロントパネル１００に取り付けられているので、その保守点検作業およびスピーカ装置２６の追加工事などが簡単になる。したがって全体として施工性が改善される。
【００５７】
図７は、オーディオ装置７０に対するオーディオ制御系の一例を示す要部のブロック図である。このオーディオ制御系は、その全体の制御を司る制御部１１０を有する。制御部１１０は周知のようにＣＰＵや制御プログラムメモリ、ワーキングメモリなどから構成される。
【００５８】
制御部１１０には図２に示した各種選択ボタン５４，５６，５８などが関連されると共に、二次電池などの電源部１１２から制御部１１０用の駆動電圧が供給される。制御部１１０ではオーディオ電源部７８がオンされたことを検出することによって、オーディオ装置７０を制御するための各種の信号が生成される。
【００５９】
また、音声出力としては、オーディオチューナ部７４で選局されたオーディオ信号の他に、蓄積媒体６６の読み取り部８０から出力された音声出力、テレビ音声出力などの音声出力を取り扱うので、これらの音声出力が供給される音声切り替え手段１１４が設けられている。音声切り替え手段１１４は制御部１１０からの制御信号に基づいて切り替え制御される。
【００６０】
選局ボタン５６を操作したときの選局信号に基づいてオーディオチューナ部７４が制御され、選局されたチャンネルの音声出力が音声切り替え手段１１４に供給される。同様に、蓄積媒体６６を装着することによって得られる蓄積媒体の再生出力および外部入力端子８２に供給されたテレビ音声出力がそれぞれ音声切り替え手段１１４に供給されると共に、それぞれの音声出力が制御部１１０自体にも供給される。
【００６１】
蓄積媒体６６より再生された音声出力とテレビ音声出力をそれぞれ制御部１１０にも供給したのは、蓄積媒体６６の装着状態やテレビ音声の入力を把握するためである。
【００６２】
音声切り替え手段１１４によって選択された音声出力は後段のオーディオアンプ部７６に供給される。オーディオアンプ部７６には音量調整手段７７が内在されているので、音量調整ボタン５８の操作に応じて音量調整が行われる。
【００６３】
ここで、音声切り替え手段１１４では、読み取り部８０からの音声出力が検知されたときは、オーディオチューナ部７４からの音声出力に優先してその音声出力がオーディオアンプ部７６に供給される。読み取り部８０からの音声出力とテレビ音声出力とが同時に検知され、読み取り部８０からの音声出力と、テレビ音声出力とが競合したときは、テレビ音声出力を優先するように制御プログラムが組まれている。もちろん、優先順位をこれとは逆に設定することも可能である。
【００６４】
制御部１１０では音声出力の出力経路を制御するための制御信号Ｓｓが生成され、この制御信号Ｓｓが配線接続切り替え部１４６に供給される。図１の実施例では、この制御信号Ｓｓは特に必要ではない。浴室１２のみにスピーカ装置２６が設置されているだけで、音声出力の出力経路を制御する必要がないからである。
【００６５】
続いて、このオーディオ制御系の動作を図８を参照して説明する。図８では外部入力端子８２が設けられていないときの制御動作例である。
【００６６】
まず、オーディオ電源部７８のオンオフ状態が判別され（ステップ１２０）、オーディオ電源が投入されたときには、蓄積媒体（リムーバブルメモリ）６６の装着状態を監視する（ステップ１２１）。蓄積媒体６６の装着が検知されなかったときは、オーディオチューナ部７４からの音声出力がオーディオアンプ部７６に供給されるように音声切り替え手段１１４が制御される（ステップ１２２）。
【００６７】
これとは反対に蓄積媒体６６の装着が検知されたときは、読み取り部８０からの音声出力がオーディオアンプ部７６に供給されるように音声切り替え手段１１４が制御される（ステップ１２３）。
【００６８】
オーディオ電源が投入されると、直前に選局されたチャンネルからの音声出力がオーディオチューナ部７４から出力されているが、蓄積媒体６６が装着されたときにはオーディオチューナ部７４側からの音声出力よりも読み取り部８０側からの音声出力を優先させる。これは、蓄積媒体６６を装着したことによって、ユーザは蓄積媒体６６からの音声出力を積極的に視聴する意思があると判断できるからである。
【００６９】
続いて、オーディオ制御用操作パネル３０Ｂの操作に応じた、選局や音量調整などの制御処理が実行される（ステップ１２４）。そして、オーディオ電源部７８の電源状態が判別され（ステップ１２５）、電源のオン状態が継続しているときはステップ１２１に戻って、上述した処理が続行される。入浴中に蓄積媒体６６が外されたときは、音声出力はオーディオチューナ部７４側の音声出力に自動的に切り替わる（ステップ１２１，１２２）。
【実施例２】
【００７０】
図９は、この発明における浴室音響システム１０の第２の実施例を示す。この例は、浴室１２の壁面１２ａの適当な位置にテレビ受像機１３０が装着されている場合である。テレビ受像機１３０に近接してリモコン用の操作パネル１３２が位置する。好みの番組を見ながらゆっくり入浴する場合に好適である。
【００７１】
このような入浴環境にあるときは、音声もモノラルではなくステレオで楽しめた方が好ましい。そのため、テレビ受像機１３０の音声出力回路（図示はしない）より得られたテレビ音声出力がテレビ受像機１３０に取り付けたスピーカ装置２６に供給されるように信号線の接続が変更される。
【００７２】
このような信号線の接続変更を行うときの施工性を考慮して、オーディオ制御用操作パネル３０Ｂには、図４および図７に示すような外部入力端子８２が予め設けられている。テレビ音声出力に係わる信号線（図示はしない）をテレビ受像機１３０から洗面脱衣所１６側まで導出すると共に、その信号線をオーディオ制御用操作パネル３０Ｂに設けられた外部入力端子８２に接続すると言う簡単な接続変更作業だけで、テレビ音声出力を一対のスピーカ装置２６Ｒ，２６Ｌから出力させることができる。
【００７３】
音声出力としてテレビ音声出力をも考慮したオーディオ制御例を図１０に示す。図８と同じ処理を行うステップについてはその処理説明を割愛する。まず、オーディオ電源状態が判別され（ステップ１２０）、電源がオンしているときはテレビ音声出力の入力状態が判別される（ステップ１４０）。テレビ音声出力が存在しないときは、ステップ１２１に遷移して蓄積媒体６６の装着状態の判別処理となるから、以後は図８の処理と同じである。
【００７４】
これに対して、テレビ音声出力の入力が確認されると（ステップ１４０）、音声切り替え手段１１４が制御されて、テレビ音声出力がオーディオアンプ部７６に供給されるようにテレビ音声出力側に切り替えられると共に、浴室１２のスピーカ装置２６に音声出力が供給されるように、制御信号Ｓｓによって配線接続切り替え部１４６が制御される（ステップ１４１）。
【００７５】
つまり、オーディオチューナ部７４からの音声出力があってもこの音声出力に優先して、テレビ音声出力が選択される。そして、スピーカも浴室１２側のスピーカ装置２６に切り替えられる。また、テレビ音声出力側に切り換えられた後はテレビ受像機１３０に関連する操作パネル１３２の操作状態が反映される。つまり、テレビ音声出力を優先して出力したときは、ステップ１２４に遷移することなく処理される。
【００７６】
なお、図９に示す第２の実施例の場合には、浴室１２のみにスピーカ装置２６が設置されているから、音声出力の出力経路はスピーカ装置２６側に切り替わるような制御信号Ｓｓが配線接続切り替え部１４６に供給される。ただし、その処理の説明については図１０では割愛されている。
【００７７】
このように第２の実施例の場合でも、オーディオ制御用操作パネル３０Ｂ側にオーディオ回路部７２を集約すると共に、空調装置本体１４側にスピーカ装置２６を取り付けることで浴室音響システム自体の施工性が大幅に改善される。
【実施例３】
【００７８】
第３の実施例を図１１を参照して説明する。今までの実施例は浴室１２のみにスピーカを配して音楽等を楽しむことのできる例である。第３の実施例は、浴室１２以外の他室においても音楽等を楽しむことのできる例である。ここに、他室とは、浴室１２に近い独立した部屋のことであり、具体的には洗面脱衣所やトイレなどを他室として挙げることができる。
【００７９】
図１１は洗面脱衣所１６にもスピーカ装置１４４を取り付けた例であり、この例では浴室１２と同じく天井１７の一部に１個若しくは一対のスピーカ装置１４４を配置する。図１１の例は、一対のスピーカ装置１４４Ｒ，１４４Ｌが配置されている。
【００８０】
スピーカ装置１４４の音源としては上述したオーディオ装置７０が利用される。そのため、天井１７に設置された信号線に対する配線接続切り替え部１４６が利用される。この配線接続切り替え部１４６で二手の信号線に分岐する。一方は浴室１２側のスピーカ装置２６に対する信号線９６Ｒ1、９６Ｌ1であり、他方は洗面脱衣所１６側のスピーカ装置１４４に対する信号線９６Ｒ2、９６Ｌ2である。音声出力の出力経路をスピーカ装置２６，１４４の何れにするかは制御部１１０からの制御信号Ｓｓによって決まる。
【００８１】
このように浴室１２の他に洗面脱衣所１６にもスピーカ装置１４４を配置すると、洗面脱衣所１６に居るときは身近にあるスピーカ装置１４４から流れる音楽等を楽しむことができ、浴室１２に入浴するときは、浴室１２内のスピーカ装置２６から流れる音楽等を楽しむことができる。
【００８２】
このような楽しみ方を実現するため、まず操作パネル３０は図１２のように構成される。操作パネル３０のうち本体制御用操作パネル３０Ａは第１の実施例と同じ構成で差し支えない。これに対して、オーディオ制御用操作パネル３０Ｂには以下のような操作系などが付加される。
【００８３】
テレビ音声用表示部６２の下部側には、赤外線センサなどを使用した人感センサ１５０が配置されると共に、その下部にはこの人感センサ１５０に対するオフスイッチ１５２が配置される。
【００８４】
人感センサ１５０は、スピーカ装置２６と１４４に対する音声出力の自動切り替えのために使用される。人感センサ１５０の検知出力に基づいて、ユーザが洗面脱衣所１６にいるときは、洗面脱衣所１６に設けられたスピーカ装置１４４を能動状態とし、洗面脱衣所１６から浴室１２に入ったときは浴室１２内のスピーカ装置２６を能動状態に自動切り替えができるようにするためである。
【００８５】
そして、浴室１２内のスピーカ装置２６が能動状態であるときは浴室用の表示灯１５６が点灯し、洗面脱衣所１６内のスピーカ装置１４４が能動状態であるときは洗面脱衣所１６用の表示灯１５８が点灯する。
【００８６】
また、洗面脱衣所１６にいても音楽等を視聴しないで、脱衣した後は直ぐに入浴する場合も考えられるし、洗面脱衣所１６あるいは浴室１２での音楽視聴が不要な場合もあり得る。そこで、そのような場合を想定して、スピーカ装置２６と１４４との切り替え手段（スイッチ）が設けられる。この例では、そのうち浴室１２側のみを能動状態に切り替えられるようにしている。オフスイッチ１５２を操作すると、人感センサ１５０の人感検知が禁止され、スピーカ装置２６のみが音声出力で駆動される。
【００８７】
人感センサ１５０の検知感度は任意に設定できるが、あまり高感度であると、入浴中に洗面脱衣所１６に入室して洗面所を利用するような場合にも人を感知してしまうおそれがある。この誤検知を避けるため、オーディオ制御用操作パネル３０Ｂを操作するためにこのオーディオ制御用操作パネル３０Ｂに近づいたとき、人を感知する程度の検知感度に調整しておくのが好ましい。入浴が終わった人はこのオーディオ制御用操作パネル３０Ｂに接近してから目的の場所（洗面所など）に向かうようにすれば、洗面脱衣所１６側のスピーカ装置１４４への切り替えもスムーズに行うことができる。
【００８８】
図１３は、図１２に示す本体制御用操作パネル３０Ａとオーディオ制御用操作パネル３０Ｂとを一体化したときの説明図であり、これは図３と同様であるのでその説明は省略する。
【００８９】
浴室１２と洗面脱衣所１６の双方にスピーカを配置する場合、オーディオ制御系としては図１４に示すように制御部１１０に対する入力として、人感センサ１５０とオフスイッチ１５２とが追加される。それ以外の構成は図７の構成と同様である。
【００９０】
図１５はこのような場合のオーディオ制御系の処理例を示す。図８および図１０と対応する部分には同一符号を付しその説明は割愛する。
【００９１】
人感センサ１５０にあっては、オーディオ電源部７８が投入され、かつテレビ音声出力の検知処理および蓄積媒体６６の装着検出処理が終了した段階から、人感の検知処理（感知処理）が開始される（ステップ１２０，１４０，１２１）。
【００９２】
この例では、蓄積媒体６６の装着検出処理が終了すると、人感センサ１５０に対するオフスイッチ１５２の状態が検出され（ステップ１６０）、オフスイッチ１５２が操作されたときは、検知処理が不要になるため、音声切り替え手段１１４を制御して、音声出力は浴室１２側のスピーカ装置２６に供給されるような切り替え処理がなされる（ステップ１６１）。その後はステップ１２４に遷移してチャンネル切り替え処理、音量調整処理などが実行される。
【００９３】
一方、人感センサ１５０が検知状態にあるときで、人感センサ１５０から検知出力が得られたときは、洗面脱衣所１６側のスピーカ装置１４４に音声出力が供給されるように、音声切り替え手段１１４に対する切り替え処理が自動的に行われる（ステップ１６２，１６３）。これと同時に配線接続切り替え部１４６に対して音声出力がスピーカ装置１４４側に供給されるような制御処理が行われる。
【００９４】
オーディオ装置７０側の電源を入れ、しかも人感センサ１５０を能動状態にセットしているので、この場合には洗面脱衣所１６でも音楽等を楽しみたいと言う意思があるものと判断して、洗面脱衣所１６側のスピーカ装置１４４に音声出力が供給されるように制御されるものである。
【００９５】
蓄積媒体６６がスロット６０に装着されているときは、読み取り部８０から蓄積媒体６６に蓄積されている楽曲などが再生されるので、この場合にはオーディオチューナ部７４の音声出力に優先して再生楽曲がスピーカ装置１４４より出力されるように音声切り替え手段１１４および配線接続切り替え部１４６が制御される（ステップ１２１，１２３）。
【００９６】
またこのとき、チャンネル選局ボタン５６を使用すれば再生楽曲の選曲が可能になる（ステップ１２４）。したがってチャンネル選局ボタン５６は、オーディオチューナ部７４に対する選局ボタンとしても、蓄積媒体６６に対する楽曲選曲ボタンとしても機能するので、兼用ボタンとなる。
【００９７】
蓄積媒体６６がスロット６０に装着されていないときは、通常通りオーディオチューナ部７４からの音声出力がスピーカ装置１４４より出力される（ステップ１２１，１２２）。そしてステップ１２４に遷移して通常のチャンネル切り替え処理や音量調整処理が実行される（ステップ１２４）。
【００９８】
以上のような処理はオーディオ用の電源がオフされるまで継続される（ステップ１２５）。ステップ１４０側に遷移した状態で、人感センサ１５０からの検知出力が途絶えたときには（ステップ１６０，１６２）、所定時間（ｔｏ）のインターバルを置いてから、音声切り替え手段１１４および配線接続切り替え部１４６がそれぞれ制御されて、浴室１２側のスピーカ装置２６への音声出力の切り替え処理がなされる（ステップ１６４，１６１）。この自動切り替え処理によって、浴室１２内のスピーカ装置２６から出力される音楽等を楽しみながら入浴することができる。
【００９９】
なお、浴室１２内のテレビ受像機１３０を見るときにはテレビ音声出力が得られるから（ステップ１４０）、このときは音声出力をテレビ音声出力側に切り替えると共に、浴室１２内のみで視聴番組を楽しむことになるので、テレビ音声出力が浴室１２内のスピーカ装置２６から出力されるようにスピーカの切り替え処理も行われる（ステップ１４１）。
【０１００】
入浴が終わってテレビ受像機１３０がオフされると、テレビ音声出力が途絶えることになるので、この場合にはステップ１２１に遷移して、蓄積媒体６６の有無や、人感センサ用オフスイッチ１５２の切り替え状態に応じた処理が行われる。例えば、洗面脱衣所１６において人感センサ１５０からの検知出力が得られたときは洗面脱衣所１６側のスピーカ装置１４４に切り替わるから、オーディオチューナ部７４からの音声出力若しくは読み取り部８０側からの音声出力がこのスピーカ装置１４４より出力されることになる。
【０１０１】
洗面脱衣所１６内の人感検出手段は、人感センサ１５０に限らず、洗面脱衣所１６に設置されている照明器具に設けられた人感検出手段（状態検出手段）であってもよい。洗面脱衣所１６への人の出入りを検知することで、照明器具を自動点灯および自動消灯させることができるから、照明器具に設置された人感検出手段を流用して、スピーカ装置２６と１４４の自動切り替えを行うことができるからである。
【０１０２】
浴室内（空調装置本体１４、壁１２ａ）等に人感センサを設けて、浴室内の人感センサの検出信号により、洗面脱衣所１６のスピーカ装置１４４から浴室１２内のスピーカ装置２６に切り替えて出力するようにしてもよい。また、浴室１２内の人の存在の有無を浴室照明スイッチ信号により判断してスピーカ装置２６と１４４の自動切り替えを行うようにしてもよい。
【０１０３】
このように第３の実施例の場合でも、オーディオ制御用操作パネル３０Ｂ側にオーディオ回路部７２を集約すると共に、空調装置本体１４側にスピーカ装置２６を取り付け、他室にも配線接続切り替え部１４６を利用しながらスピーカ装置１４４への配線処理を行っているので、浴室音響システム自体の施工性が大幅に改善される。
【実施例４】
【０１０４】
図１６は第４の実施例を示す。この実施例は、図１１に示す実施例に対して、さらに浴室以外の他室としてトイレ１６５を追加したものである。この場合にも、図１６に示すようにトイレ１６５の天井１６６に１個または一対のスピーカ装置１６８が設置される。図は２個のスピーカ装置１６８Ｒ、１６８Ｌを使用した例である。さらにトイレ１６５の壁面１６５ａには電源制御スイッチ２００が設けられ、制御部１１０で、電源制御スイッチ２００のオン状態への操作を検知したときにオーディオ電源部７８がオン状態となるように遠隔制御される。
【０１０５】
このように浴室１２以外の他室（洗面脱衣所１６およびトイレ１６５）にもスピーカを設置する場合にも天井１７に設置された配線接続切り替え部１４６が使用される。
【０１０６】
そして、電源制御スイッチ２００によってオーディオ電源部７８が制御されたときは、オーディオ制御用操作パネル３０Ｂにおける制御モードとは独立して、トイレ１６５側のスピーカ装置１６８に音声出力が供給されるように配線接続切り替え部１４６が制御信号Ｓｓによって制御されるものとする。したがって、場合によってはスピーカ装置１６８の他に、スピーカ装置２６（またはスピーカ装置１４４）にも音声出力が供給されているような同時視聴モードとなる場合が存在する。
【０１０７】
なお、図１７に示すように、この配線接続切り替え部１４６にはオーディオ制御用操作パネル３０Ｂからの音声出力用信号線９６Ｒｏ、９６Ｌｏを導き、この配線接続切り替え部１４６内で３つに信号線を分岐させる。１つは浴室１２内のスピーカ装置２６に対する信号線９６Ｒ1、９６Ｌ1であり、残り２つは洗面脱衣所１６内のスピーカ装置１４４に対する信号線９６Ｒ2、９６Ｌ2であり、トイレ１６５内のスピーカ装置１６８に対する信号線９６Ｒ3、９６Ｌ3である。どのスピーカを能動状態とするかは、制御信号Ｓｓによって制御される。
【０１０８】
このような配線接続切り替え部１４６を使用すると、例えば図１あるいは図９の配線状態から、図１１、図１６へとスピーカ設置個所を拡張する場合でも、配線接続切り替え部１４６からの配線工事のみで済むから、スピーカの信号配線を簡単に行うことができ、それだけ施工性が改善されることになるからである。
【０１０９】
この第４の実施例の場合でも、オーディオ制御用操作パネル３０Ｂ側にオーディオ回路部７２を集約すると共に、空調装置本体１４側にスピーカ装置２６を取り付け、他室にも配線接続切り替え部１４６を利用しながらスピーカ装置１４４，１６８への配線処理を行っているので、浴室音響システム自体の施工性が大幅に改善される。なお、空調装置本体１４を天井に設置するものについて説明したが、壁に設置するものであってもよい。
【産業上の利用可能性】
【０１１０】
この発明は、個別住宅や集合住宅を問わず、浴室内に空調装置が設置されているか、これから設置する場合を問わず、オーディオ装置を備えた浴室音響システムに適用できる。
【図面の簡単な説明】
【０１１１】
【図１】この発明に係る浴室音響システムの第１の実施例を示す要部の断面図である。
【図２】第１の実施例における本体制御用操作パネルとオーディオ制御用操作パネルの構成例を示す配置図である。
【図３】第１の実施例における本体制御用操作パネルとオーディオ制御用操作パネルを一体化したときの構成例を示す配置図である。
【図４】オーディオ制御用操作パネルに設けられるオーディオ装置の一例を示す概念図である。
【図５】空調装置本体と設置スピーカとの関係を示す要部断面図である（その１）。
【図６】空調装置本体と設置スピーカとの関係を示す要部断面図である（その２）。
【図７】第１の実施例における浴室音響システムの制御系の一例を示す要部の系統図である。
【図８】第１の実施例における浴室音響システムの制御処理例を示すフローチャートである。
【図９】この発明に係る浴室音響システムの第２の実施例を示す要部の断面図である。
【図１０】第２の実施例における浴室音響システムの制御処理例を示すフローチャートである。
【図１１】この発明に係る浴室音響システムの第３の実施例を示す要部の断面図である。
【図１２】第３の実施例における本体制御用操作パネルとオーディオ制御用操作パネルの構成例を示す配置図である。
【図１３】第３の実施例における本体制御用操作パネルとオーディオ制御用操作パネルを一体化したときの構成例を示す配置図である。
【図１４】この発明に係る浴室音響システムの第３の実施例を示す要部の系統図である。
【図１５】第３の実施例における浴室音響システムの制御処理例を示すフローチャートである。
【図１６】この発明に係る浴室音響システムの第４の実施例を示す要部の断面図である。
【図１７】信号線の配線接続具の一例を示す配線図である。
【符号の説明】
【０１１２】
１０・・・浴室音響システム、１２・・・浴室、１３，１７，１６６・・・天井、１６・・・洗面脱衣所、１４・・・空調装置本体、２６，１４４，１６８・・・スピーカ装置、１４６・・・配線接続具、３０・・・操作パネル、３０Ａ・・・本体制御用操作パネル、３０Ｂ・・・オーディオ制御用操作パネル、７０・・・オーディオ装置、７４・・・オーディオチューナ部、７６・・・オーディオアンプ部、７８・・・オーディオ電源部、６０・・・スロット、６６・・・蓄積媒体
【図１】
2008177894.tif 000003
【図２】
2008177894.tif 000004
【図３】
2008177894.tif 000005
【図４】
2008177894.tif 000006
【図５】
2008177894.tif 000007
【図６】
2008177894.tif 000008
【図７】
2008177894.tif 000009
【図８】
2008177894.tif 000010
【図９】
2008177894.tif 000011
【図１０】
2008177894.tif 000012
【図１１】
2008177894.tif 000013
【図１２】
2008177894.tif 000014
【図１３】
2008177894.tif 000015
【図１４】
2008177894.tif 000016
【図１５】
2008177894.tif 000017
【図１６】
2008177894.tif 000018
【図１７】
2008177894.tif 000019